(57)【要約】【目的】  走行中の表示が規制されているか否か及び視聴者参加型番組であるか否かを考慮して、番組を優先的に選択できるようにした「ディジタルテレビジョン放送受信装置」を提供することである。【構成】  車載のディジタルＴＶ装置において、各チャンネルの受信電界強度を検出するとともに、受信したＴＶ放送信号に含まれる番組配列情報に基づいて各チャネルで放送中のＴＶ番組が視聴者参加型の番組であるか否かを識別する。そして、番組選択に際して、走行中の表示が規制されていない車載ＴＶ装置の場合には、視聴者参加型の番組を優先的に受信するように制御し、走行中の表示が規制されている車載ＴＶ装置の場合には、視聴者参加型以外の番組を優先的に受信するように制御する。【選択図】        図１
2006121379.tif 000002
【特許請求の範囲】
【請求項１】
車載のディジタルテレビジョン放送受信装置において、
ディジタル放送信号を受信する受信部、
受信したディジタルテレビジョン放送信号に含まれる番組配列情報に基づいて各チャネルで放送中のテレビジョン番組が視聴者参加型の番組であるか否かを識別する手段、
走行中の表示が規制されていない車載のテレビジョン装置の場合には、視聴者参加型の番組を優先的に受信するように制御し、走行中の表示が規制されている車載のテレビジョン装置の場合には、視聴者参加型以外の番組を優先的に受信するように制御する制御手段、
を備えたことを特徴とするディジタルテレビジョン放送受信装置。
【請求項２】
各チャンネルの受信電界強度を検出する手段、
を備え、前記制御手段は、走行中の表示が規制されていない車載のテレビジョン装置の場合には、受信電界強度が設定レベル以上のチャンネルの番組であって視聴者参加型の番組をそれ以外の番組より優先的に並べてプリセット選択できるようにし、走行中の表示が規制されている車載のテレビジョン装置の場合には、受信電界強度が設定レベル以上のチャンネルの番組であって視聴者参加型以外の番組を視聴者参加型番組より優先的に並べてプリセット選択できるようにすることを特徴とする請求項１記載のディジタルテレビジョン放送受信装置。
【請求項３】
電子番組ガイド画面を作成して表示する手段、
を備え、前記制御手段は、走行中の表示が規制されていない車載のテレビジョン装置の場合には、前記電子番組ガイド画面において視聴者参加型の番組をそれ以外の番組と識別可能に強調表示し、走行中の表示が規制されている車載のテレビジョン装置の場合には視聴者参加型番組を前記電子番組ガイド画面に表示しないようにすることを特徴とする請求項１記載のディジタルテレビジョン放送受信装置。
【発明の詳細な説明】
【技術分野】
【０００１】
本発明は車載のディジタルテレビジョン放送受信装置(TV装置)に係わり、特に、走行中の表示が規制されていないＴＶ装置の場合には視聴者参加型の番組を優先的に受信するように制御し、走行中の表示が規制されているＴＶ装置の場合には、視聴者参加型以外の番組を優先的に受信するよう制御するディジタルテレビジョン放送受信装置に関する。
【背景技術】
【０００２】
最近、地上波デジタル放送が開始され、家庭内のみならず車載機でも利用できるようになってきている。地上波デジタルＴＶ放送では、アナログＴＶ放送と異なり双方向通信によりユーザ参加型の放送が可能である(例えば特許文献１参照)。このユーザ参加型放送サービスの例として視聴者参加型クイズ番組があり、視聴者に呈示した問題の回答を視聴者から受信して正解率をＴＶ放送で紹介する。別の例としてスポーツ番組があり、視聴者が出場選手のプロファイル情報を要求し、番組提供側より該情報を個別にユーザに提供する。
ところで、車載のＴＶ装置では走行中において運転者がＴＶ画像を見ることができないようになっている(特許文献２参照)。たとえば、運転者がＴＶ画面を視認可能な場合において、該運転者がＴＶ画像を見ようとすと表示量を制限し、あるいは、スクリーンを回転して運転者がＴＶ画像を見ることができないようにしたり、あるいは、車両フロント側に設けたＴＶ装置の画面を走行中において非表示(ブラックアウト化)し、音声のみの試聴を許容したりしている。ただし、車両のリアシート側に設けたＴＶ装置は走行中であるか否かに関係なく常に乗員はＴＶ画像を見られるようになっている。
【特許文献１】：特開２００４−１９３６８１号公報
【特許文献２】：特開２００３−２１４８７８号公報
【発明の開示】
【発明が解決しようとする課題】
【０００３】
運転中に視聴者参加型ＴＶ放送を受信しても運転者は操作を行えず音声のみの受聴となり、視聴者参加型番組は運転者にとって面白味に欠け、視聴者参加型番組以外の番組を選択することが多い。これに対して、車両のリアシート側に設けたＴＶ装置では走行中であっても常に乗員はＴＶ画像を見られるようになっているため、積極的に視聴者参加型番組を受信した方がリアシートのユーザにとってエンターテインメント性が向上する。
従来は、(1)走行中の表示が規制されているＴＶ装置であるか否かや、(2)視聴者参加型番組であるか否かを考慮して、番組(チャンネル)を選択できるようになっておらずチャンネルの選択が面倒となる問題があった。
以上から、本発明の目的は、走行中の表示が規制されているか否かや、視聴者参加型番組であるか否かを考慮して、所定の番組を優先的に選択できるようにしたディジタルテレビジョン放送受信装置を提供することである。
【課題を解決するための手段】
【０００４】
上記課題は本発明によれば、ディジタル放送信号を受信する受信部、受信したディジタルテレビジョン放送信号に含まれる番組配列情報に基づいて各チャネルで放送中のテレビジョン番組が視聴者参加型の番組であるか否かを識別する手段、走行中の表示が規制されていない車載のテレビジョン装置の場合には、視聴者参加型の番組を優先的に受信するように制御し、走行中の表示が規制されている車載のテレビジョン装置の場合には、視聴者参加型以外の番組を優先的に受信するように制御する制御手段を備えた車載のディジタルテレビジョン放送受信装置により達成される。
本発明のディジタルテレビジョン放送受信装置は、上記手段に加えて各チャンネルの受信電界強度を検出する手段を備え、前記制御手段は、走行中の表示が規制されていない車載のテレビジョン装置の場合には、受信電界強度が設定レベル以上のチャンネルの番組であって視聴者参加型の番組をそれ以外の番組より優先的に並べてプリセット選択できるようにし、走行中の表示が規制されている車載のテレビジョン装置の場合には、受信電界強度が設定レベル以上のチャンネルの番組であって視聴者参加型以外の番組を視聴者参加型番組より優先的に並べてプリセット選択できるようにする。
本発明のディジタルテレビジョン放送受信装置は、上記手段に加えて電子番組ガイド画面を作成して表示する手段を備え、前記制御手段は、走行中の表示が規制されていない車載のテレビジョン装置の場合には、前記電子番組ガイド画面において視聴者参加型の番組をそれ以外の番組と識別可能に強調表示し、走行中の表示が規制されている車載のテレビジョン装置の場合には視聴者参加型番組を前記電子番組ガイド画面に表示しないようにする。
【発明の効果】
【０００５】
本発明によれば、走行中の表示が規制されているか否かや、視聴者参加型番組であるか否かを考慮して、所定の番組を優先的に選択することができる。例えば、走行中の表示が規制されていない車載ＴＶ装置の場合には、視聴者参加型の番組を優先的に受信するようにでき、走行中の表示が規制されている車載ＴＶ装置の場合には、視聴者参加型以外の番組を優先的に受信するようにできる。
【発明を実施するための最良の形態】
【０００６】
車載のディジタルＴＶ装置において、各チャンネルの受信電界強度を検出するとともに、受信したＴＶ放送信号に含まれる番組配列情報に基づいて各チャネルで放送中のＴＶ番組が視聴者参加型の番組であるか否かを識別する。そして、番組選択に際して、走行中の表示が規制されていない車載ＴＶ装置の場合には、視聴者参加型の番組を優先的に受信するように制御し、走行中の表示が規制されている車載ＴＶ装置の場合には、視聴者参加型以外の番組を優先的に受信するように制御する。
【実施例１】
【０００７】
・ディジタルテレビジョン放送受信装置
図1は第１実施例のディジタルテレビジョン放送受信装置(TV装置)の構成図である。
アンテナ1１はデジタルＴＶ放送信号電波を受信し、フロントエンド部１２は、アンテナ１１を介して受信したＴＶ放送信号の中からユーザが選局した所望の受信周波数成分を抽出すると共に、抽出したＴＶ放送信号に対して周波数変換を施して中間周波数信号を出力する。べースバンド部１３は、フロントエンド部１２から出力する中間周波信号に対して、直交復調処理、ＦＥＣ（Forward Error Correction）処理を行い、ついで、デインタリーブを解くと共にデスクランブルして元のデータ列に戻し、最後に、誤り検出／訂正処理を行って高能率符号データ（MPEGデータ）を出力する。データ分離部１４はべースバンド処理部１3から入力する全チャンネルの高能率符号データ（MPEGデータ）から、ユーザが選択したチャンネルのMPEGビデオデータ、MPEGオーディオデータ及び情報データ(番組配列情報ＳＩ)を分離し、MPEGビデオデータ、MPEGオーディオデータをそれぞれオーディオ復号部１５、画像復号部１６に入力し、番組配列情報ＳＩを情報データデコード部１７に入力する。オーディオ復号部１５は入力されたMPEGオーディオデータをＰＣＭオーディオデータに復号すると共にアナログオーディオ信号に変換してオーディオ出力部１９に入力し、画像復号部１６は、MPEGビデオデータを復号して映像信号を画像出力部２１に入力すし、情報データデコード部１７は番組配列情報ＳＩをデコードして制御部１８に入力する。
【０００８】
図2は番組配列情報ＳＩを構成する各種テーブルの名称とそのパケット識別子PIDとテーブルIDの対応表であり、テーブルとして、 (1) PAT(Program Association Table)、 (2) CAT(Conditional Access Table)、(3) PMT(Program Map Table)、(4) NIT(Network Information Table)、(5) SDT(Service Description Table)、 (6) BAT(Bouquet Association Table)、(7) EIT(Event Information Table)、(8) TDT(Time Date Table)、(9) RST(Running Status Table)、(10) ST(Stuffing Table)がある。最初の４つのテーブルPAT, CAT, PMT, NIT はプログラム仕様情報PSI(Program Specific Information)と称されるものである。番組配列情報ＳＩにより、(1)プログラムの名称、放送日時、プログラムの内容説明、視聴者参加番組であるか否か等のプログラムに関する情報、(2)現在の日付、時刻、(3)番組の現在の進行状況等が呈示される。
【０００９】
図1に戻って、制御部１８はフロントエンド部１２、データ分離部１４、受信電界強度検出部２１、操作／表示部２２、ＥＰＧ画像作成部２３、走行中表示規制テレビ特定部２４等に接続され、後述する種々の制御を実行する。受信電界強度検出部２１はオートプリセット制御時に受信チャンネルの受信電界強度を検出して制御部１８に入力する。操作／表示部２２は、表示部２２ａ、操作部２２ｂを有し、操作部２２ｂには番組選択キーＫ１、EPG画面表示要求キーＫ２、プリセットキＫ３等が設けられている。EPGデータを使用した番組案内表示を行なうには、(1) 通常画面表示中にキーＫ２でEPG画面表示を要求し、(2) 該要求により図３に示すように通常画面よりEPG専用画面に切り替え、(3) EPG専用画面を適宜スクロールして所望の番組を選択し、(4) 復帰操作により通常の画面に戻す。
走行中表示規制テレビ特定部２４は、走行中表示が規制されているか否かを設定するもので、車両のフロント側に設けられるＴＶ装置には「走行中表示規制有り」を設定し、車両のリア側に設けられるTV装置には「走行中表示規制無し」を設定する。
【００１０】
制御部１８は、情報データデコード部１７から入力する番組配列情報ＳＩを蓄積し、操作／表示部２２からのEPG画面の表示要求によりEPG画面情報を作成してEPG画像作成部２３に入力する。EPG画像作成部２３は、制御部１８から入力するEPG画面情報を用いて全番組、全チャンネルの案内情報を含むEPG画面(図３参照）を作成して画像出力部２１に入力する。また、制御部１８は、ユーザの選局操作に基づいて、フロントエンド１２に選局信号を送出すると共に受信番組情報PIDをデータ分離部１４に入力する。更に、制御部１８は、定期的にオートプリセット制御を行い受信可能なチャンネルを識別してプリセットメモリ１８ａにプリセットし、プリセットキーＫ３を操作する毎にプリセットメモリ１８ａにプリセットされているチャンネルを選局信号としてフロントエンドに入力してプリセット順にＴＶ放送信号を受信する。
なお、通信装置２５は操作部２２ｂから入力された視聴者参加データをテレビ局に送信する送信装置である。
【００１１】
・オートプリセット制御
図４はオートプリセット制御の処理フロー図である。
ディジタルＴＶ放送の受信を開始すると(ステップ１０１)、制御部１８はＴＶ放送信号に含まれる最新の番組配列情報ＳＩを抽出して保存する(ステップ１０２)。かかる状態において、制御部１８は定期的に各チャンネルを受信して受信電界強度を検出し、受信電界強度が設定レベル以上のチャンネルを受信可能局として保存する(ステップ１０３)。ついで、制御部１８は走行中の表示が規制されたＴＶ装置であるかチェックする(ステップ１０４)。ＴＶ装置がリア側に設けられたＴＶ装置であれば「走行中表示規制無し」が設定されているから、制御部１８は、受信可能なチャンネルの受信電界強度と該チャンネルの番組配列情報ＳＩを参照する。そして、制御部18は、受信可能な視聴者参加番組を受信電界強度順に並べ、その後に受信可能な視聴者参加番組以外の番組を受信電界強度順に並べてプリセットメモリ１８ａに格納する(ステップ１０５)。すなわち、走行中表示規制無しの場合には、視聴者参加番組が優先的に選択されるようにプリセット順にプリセットメモリ１８ａに記憶する。
【００１２】
一方、ＴＶ装置がフロント側に設けられたＴＶ装置で「走行中表示規制有り」が設定されていれば、制御部１８は、受信可能なチャンネルの受信電界強度と該チャンネルの番組配列情報ＳＩを参照する。そして、制御部18は、受信可能な視聴者参加番組以外の番組を受信電界強度順に並べ、その後に受信可能な視聴者参加番組を受信電界強度順に並べてプリセットメモリ１８ａに格納する(ステップ１０６)。すなわち、走行中表示規制有りの場合には、視聴者参加番組以外の番組が優先的に選択されるようにプリセット順にプリセットメモリ１８ａに記憶する。
以上のオートプリセット後に、プリセットキーＫ３を操作すれば、操作毎にプリセットメモリ１８ａにプリセットされている順番で選局を行う(ステップ１０７)。この結果、走行中表示規制無しの場合には、視聴者参加番組が優先的に選択され、走行中表示規制有りの場合には、視聴者参加番組以外の番組が優先的に選択される。
以上では、受信電界順に並べたが、チャンネル番号が若い順に並べても良い。要は、走行中表示規制無しの場合には、視聴者参加番組が優先的に選択されるようにプリセットメモリに順番に記憶し、走行中表示規制有りの場合には、視聴者参加番組以外の番組が優先的に選択されるようにプリセットメモリに順番に記憶すればよい。
【実施例２】
【００１３】
図５は第２実施例のディジタルテレビジョン放送受信装置の構成図であり、図１の第１実施例の構成と同一部分には同一符号を付している。異なる点は受信電界強度検出部２１を除去している点である。
図６は第２実施例のＥＰＧ画面処理フローである。ディジタルＴＶ放送の受信を開始すると(ステップ２０１)、制御部１８はＴＶ放送信号に含まれる最新の番組配列情報ＳＩを抽出して保存する(ステップ２０２)。ついで、制御部１８はキーＫ２の操作でＥＰＧ表示が要求されたかチェックし(ステップ２０３)、ＥＰＧ表示が要求されると走行中の表示が規制されたTV装置であるかチェックする(ステップ２０４)。ＴＶ装置がリア側に設けられたＴＶ装置であれば、「走行中表示規制無し」が設定されているから、制御部１８は、視聴者参加番組を強調表示するEPG画面情報を作成してEPG画像作成部２３に入力する。EPG画像作成部２３は、制御部１８から入力するEPG画面情報を用いて図７（A）に示すように視聴者参加番組７１，７２を強調表示する(ステップ２０５)。これにより、ユーザは視聴者参加番組を容易に認識して該番組を優先的に選択できるようになる。
一方、ＴＶ装置がフロント側に設けられたＴＶ装置であれば、「走行中表示規制有り」が設定されているから、制御部１８は、視聴者参加番組を除去したEPG画面情報を作成してEPG画像作成部２３に入力する。EPG画像作成部２３は、制御部１８から入力するEPG画面情報を用いて図７（Ｂ）に示すように視聴者参加番組を含まないＥＰＧ画面を表示する（ステップ２０６)。これにより、ユーザは視聴者参加番組を選択することができず、視聴者参加番組以外の番組を優先的に選択できるようになる。
【図面の簡単な説明】
【００１４】
【図１】第１実施例のディジタルテレビジョン放送受信装置(TV装置)の構成図である。
【図２】番組配列情報ＳＩを構成する各種テーブルの名称とそのパケット識別子PIDとテーブルIDの対応表である。
【図３】EPG専用画面例である。
【図４】オートプリセット制御の処理フローである。
【図５】第２実施例のディジタルテレビジョン放送受信装置の構成図である。
【図６】第２実施例のＥＰＧ画面処理フローである。
【図７】第２実施例のEPG画面例である。
【符号の説明】
【００１５】
１２  フロントエンド部
１３  べースバンド処理部
１４  データ分離部
１５  オーディオ復号部
１６  画像復号部
１７  情報データデコード部
１８  制御部
１９  オーディオ出力部
２０  画像出力部
２１  受信電界強度検出部
２２  操作／表示部
２３  ＥＰＧ画像作成部
２４  走行中表示規制テレビ特定部
２５  通信装置
【図１】
2006121379.tif 000003
【図２】
2006121379.tif 000004
【図３】
2006121379.tif 000005
【図４】
2006121379.tif 000006
【図５】
2006121379.tif 000007
【図６】
2006121379.tif 000008
【図７】
2006121379.tif 000009